(57)【要約】【課題】婦人用体調管理装置における特定日情報の取得を使用者が忘れないよう、適切なタイミングでこれを促すことのできる婦人用体調管理装置を提供すること。【解決手段】本発明の婦人用体調管理装置は、使用者たる婦人の月周期で現われる特定日の情報を取得する特定日情報取得手段と、取得された特定日情報に基づきこの婦人の月周期を算出する月周期算出手段とを備えてなる婦人用体調管理装置であって、特定日情報の取得を使用者に促す特定日情報取得促し手段を更に備え、この特定日情報取得促し手段は、前記特定日情報取得手段で取得された最新の特定日から起算されると共に前記月周期算出手段で算出された月周期を超える第一の期間に亘って特定日情報の取得が行われていない場合に、特定日情報の取得を使用者に促すものである。【選択図】図８
2006043247.tif 000002
【特許請求の範囲】
【請求項１】
使用者たる婦人の月周期で現われる特定日の情報を取得する特定日情報取得手段と、取得された特定日情報に基づきこの婦人の月周期を算出する月周期算出手段とを備えてなる婦人用体調管理装置であって、
特定日情報の取得を使用者に促す特定日情報取得促し手段を更に備え、この特定日情報取得促し手段は、前記特定日情報取得手段で取得された最新の特定日から起算されると共に前記月周期算出手段で算出された月周期を超える第一の期間に亘って特定日情報の取得が行われていない場合に、特定日情報の取得を使用者に促すことを特徴とする婦人用体調管理装置。
【請求項２】
前記第一の期間は、前記月周期算出手段で算出された最新の月周期が過去に算出された月周期を超える第二の期間以下である場合においてはこの最新の月周期を超える期間とされ、前記最新の月周期が前記第二の期間を超えている場合においては前記過去に算出された月周期を超える期間とされていることを特徴とする請求項１記載の婦人用体調管理装置。
【請求項３】
前記第一の期間は、前記最新の月周期又は過去に算出された月周期に７日を加えた期間とされ、前記第二の期間は、前記過去に算出された月周期に１４日を加えた期間とされていることを特徴とする請求項２記載の婦人用体調管理装置。
【請求項４】
前記特定日情報取得促し手段の作動を禁止する特定日情報取得促し禁止手段を更に備え、この特定日情報取得促し禁止手段は、前記特定日情報取得手段で取得された最新の特定日から起算されると共に前記第一の期間を超える第三の期間に亘って特定日情報の取得が行われていない場合に、前記特定日情報取得促し手段の作動を禁止することを特徴とする請求項１乃至３記載の婦人用体調管理装置。
【請求項５】
前記第三の期間は、前記第一の期間に１４日を加えた期間とされていることを特徴とする請求項４記載の婦人用体調管理装置。
【請求項６】
前記特定日情報取得手段は、使用者たる婦人がその月経開始日を特定日として入力するための日付入力手段を含んでなることを特徴とする請求項１乃至５記載の婦人用体調管理装置。
【発明の詳細な説明】
【技術分野】
【０００１】
本発明は、使用者たる婦人の月周期で現われる特定日の情報を取得する特定日情報取得手段と、取得された特定日情報に基づきこの婦人の月周期を算出する月周期算出手段とを備えてなる婦人用体調管理装置に関する。
【背景技術】
【０００２】
月経期、排卵前後期、ＰＭＳ期（Premenstrual Syndrome：月経前症候群）、或いはこれら月経期や排卵前後期との関係で特定される「ダイエットおすすめ期」等といった婦人の月周期で現われる体調期間を測定すると共に、この婦人の現在の体調が属する体調期間を報知するように構成された婦人用体調管理装置が知られている（例えば、非特許文献１及び特許文献１参照。）。このような婦人用体調管理装置においては、通常、使用者たる婦人の月経開始日や排卵日等といった月周期で現われる特定日の情報を取得する特定日情報取得手段と、取得された特定日情報に基づきこの婦人の月周期（月経周期）を算出する月周期算出手段とが組込まれており、体調期間の測定は、取得された特定日情報や算出された月周期に基づいて行われている。
【０００３】
例えば、非特許文献１の婦人用体調管理装置では、使用者が入力した月経開始日を起算日としてダイエットに適した期間（概ね、月経期の終了時期から排卵前後期の終了時期までに相当する。）が自動的に測定（計算）され、この期間に属する日には「ダイエットおすすめ期（日）」として液晶画面にバーグラフが表示される。この場合、「ダイエットおすすめ期」の測定は、先ず、入力された最新の月経開始日と前回の月経開始日との日数差（斯かる日数差データが複数蓄積されている場合はその平均値）を月周期として算出し、次いで最新の月経開始日を起算点とした月周期から、前半数日間を「月経期」、後半数日間を「リラックスおすすめ期」として差し引いて、その残余期間を「ダイエットおすすめ期」とすることによって行われている。
【０００４】
また、特許文献１の婦人用体調管理装置では、使用者の基礎体温と密接な関係にある使用者の生体電気インピーダンスが測定されると共に、この生体電気インピーダンスから月経開始や排卵日が算出され、月経開始日から次の月経開始日までの月周期全体と、その月周期における月経期やＰＭＳ期等の体調期間とが測定される。そして、測定された月周期全体と、今日現在の体調がその月周期におけるどの体調期間に位置するのかという情報とが、液晶画面に模式的に表示されるものである。
【０００５】
【非特許文献１】株式会社タニタ、"女性用パーソナル脂肪計ＩＮ・ＳＨＡＰＥ"、［online］、株式会社タニタホームページ、［平成１６年６月２５日検索］、インターネット<URL：http://www.tanita.co.jp/women/01.html>
【特許文献１】特開２００２−１０２１９１号公報
【発明の開示】
【発明が解決しようとする課題】
【０００６】
婦人用体調管理装置においては、使用者たる婦人の月周期で現われる特定日に関する情報の取得が必須である。即ち、非特許文献１の如く特定日たる月経開始日を使用者が入力するものであれ、特許文献１の如く特定日たる月経開始日や排卵日を生体電気インピーダンス測定値の推移から算定するものであれ、斯かる入力や測定といった特定日情報の取得をし忘れてしまうと、この婦人の月周期は算出されず、更には体調管理に有益な体調期間の測定もなされなくなってしまう。そこで、既に算出されている月周期が経過したにも拘らず特定日情報の取得が行われていない場合には、使用者が特定日情報の取得を実際に行うまで、これを促すためのサイン表示やアラーム報知等を行うことが考えられる。
【０００７】
しかしながら、婦人の特定日の到来は、実際には個人ごと、月ごとにバラツキを生じるものであるから、算出された月周期の経過直後から特定日情報の取得を促す構成であると、使用者が特定日情報の取得を忘れているわけではなく、単に特定日の到来が正常なバラツキ範囲で若干遅れているだけの場合であっても、特定日情報の取得を使用者に促すこととなり、使用者に不正確であるとの印象を与えてしまったり、特定日の到来遅れについて無用な不安感を抱かせてしまったりしかねない。
【０００８】
また、逆に、体調不良等によって月周期が正常なバラツキ範囲を超えて特異的に長く算出されてしまったようなとき（即ち、前回の特定日から最新の特定日までの期間が異常に長くなってしまってようなとき）は、これに伴って特定日情報の取得を使用者に促すためのサイン表示やアラーム報知等がなかなかなされないこととなり、使用者は本当に特定日情報の取得を忘れてしまいかねない。
【０００９】
更にまた、特定日情報の取得を使用者に促すためのサイン表示やアラーム報知等を、特定日情報の取得が実際に行われるまで継続すると、例えば何らかの事情で使用者が自ら特定日情報の取得を中止しようと考えているような場合であっても、特定日情報の取得を延々と促されることになり、使用者は煩わしさを感じてしまう。
【００１０】
本発明の目的は、婦人用体調管理装置における特定日情報の取得を使用者が忘れないよう、適切なタイミングでこれを促すことのできる婦人用体調管理装置を提供することにあり、更には使用者に煩わしさを感じさせることのない婦人用体調管理装置を提供することにある。
【課題を解決するための手段】
【００１１】
本発明の婦人用体調管理装置は、使用者たる婦人の月周期で現われる特定日の情報を取得する特定日情報取得手段と、取得された特定日情報に基づきこの婦人の月周期を算出する月周期算出手段とを備えてなる婦人用体調管理装置であって、特定日情報の取得を使用者に促す特定日情報取得促し手段を更に備え、この特定日情報取得促し手段は、前記特定日情報取得手段で取得された最新の特定日から起算されると共に前記月周期算出手段で算出された月周期を超える第一の期間に亘って特定日情報の取得が行われていない場合に、特定日情報の取得を使用者に促すことを特徴とするものである。
【００１２】
ここで、前記第一の期間は、前記月周期算出手段で算出された最新の月周期が過去に算出された月周期を超える第二の期間以下である場合においてはこの最新の月周期を超える期間とされ、前記最新の月周期が前記第二の期間を超えている場合においては前記過去に算出された月周期を超える期間とされていることが望ましい。
【００１３】
そして、前記第一の期間は、前記最新の月周期又は過去に算出された月周期に７日を加えた期間とされ、前記第二の期間は、前記過去に算出された月周期に１４日を加えた期間とされていることが好ましい。
【００１４】
また、本発明の婦人用体調管理装置は、前記特定日情報取得促し手段の作動を禁止する特定日情報取得促し禁止手段を更に備え、この特定日情報取得促し禁止手段は、前記特定日情報取得手段で取得された最新の特定日から起算されると共に前記第一の期間を超える第三の期間に亘って特定日情報の取得が行われていない場合に、前記特定日情報取得促し手段の作動を禁止するものであることが望ましい。
【００１５】
そして、前記第三の期間は、前記第一の期間に１４日を加えた期間とされていることが好ましい。
【００１６】
尚、前記特定日情報取得手段は、使用者たる婦人がその月経開始日を特定日として入力するための日付入力手段を含んでなるものであることが好ましい。
【発明の効果】
【００１７】
本発明の婦人用体調管理装置であれば、特定日情報取得手段で取得された最新の特定日から起算されると共に前記月周期算出手段で算出された月周期を超える第一の期間に亘って特定日情報の取得が行われていない場合に、特定日情報の取得を使用者に促すものであるから、算出された月周期の経過直後から特定日情報の取得を促すことにはならず、特定日到来のバラツキを吸収して適切なタイミングでその取得を促すことが可能となる。
【００１８】
ここで、前記第一の期間を、前記月周期算出手段で算出された最新の月周期が過去に算出された月周期を超える第二の期間以下である場合においてはこの最新の月周期を超える期間とし、前記最新の月周期が前記第二の期間を超えている場合においては前記過去に算出された月周期を超える期間としておくと、体調不良等によって最新の月周期が特異的に長く算出されてしまったようなとき（即ち、前回の特定日から最新の特定日までの期間が異常に長くなってしまってようなとき）に、この特異的な月周期を無視した適切なタイミングで特定日情報の取得を促すことが可能となる。
【００１９】
そして、月周期の正常なバラツキ範囲として一般的には周期日数が２５〜２８日の間でその変動が６日以内であると言われていることを考慮すると、前記第一の期間を前記最新の月周期又は過去に算出された月周期に７日を加えた期間とし、前記第二の期間を前記過去に算出された月周期に１４日を加えた期間とすることで、より適切なタイミングで特定日情報の取得を促すことが可能となる。
【００２０】
また、本発明の婦人用体調管理装置は、前記特定日情報取得促し手段の作動を禁止する特定日情報取得促し禁止手段を更に付加して、前記特定日情報取得手段で取得された最新の特定日から起算されると共に前記第一の期間を超える第三の期間に亘って特定日情報の取得が行われていない場合に前記特定日情報取得促し手段の作動を禁止すれば、特定日情報取得促し手段の作動が第三の期間以内に限られることとなるので、特定日情報の取得を延々と促すことはなくなり、使用者に煩わしさを感じさせることのない装置とすることが可能となる。
【００２１】
そして、使用者に特定日情報の取得を忘れさせないという本来の目的を達成しつつも煩わしさを感じさせることのない期間としては、次の月経が近づく時期を勘案すると、２週間程度が適切と考えられる。従って、前記第三の期間は、前記第一の期間に１４日を加えた期間とすることで、特定日情報の取得を促す期間を１４日間（２週間）とした婦人用体調管理装置とすることが可能となる。
【発明を実施するための最良の形態】
【００２２】
本発明の婦人用体調管理装置は、使用者たる婦人の月周期で現われる特定日の情報を取得する特定日情報取得手段と、取得された特定日情報に基づきこの婦人の月周期を算出する月周期算出手段とを備えてなる婦人用体調管理装置であって、特定日情報の取得を使用者に促す特定日情報取得促し手段を更に備え、この特定日情報取得促し手段は、前記特定日情報取得手段で取得された最新の特定日から起算されると共に前記月周期算出手段で算出された月周期を超える第一の期間に亘って特定日情報の取得が行われていない場合に、特定日情報の取得を使用者に促すことを特徴とするものである。
【００２３】
ここで、前記第一の期間は、前記月周期算出手段で算出された最新の月周期が過去に算出された月周期を超える第二の期間以下である場合においてはこの最新の月周期を超える期間とされ、前記最新の月周期が前記第二の期間を超えている場合においては前記過去に算出された月周期を超える期間とされていることが望ましい。
【００２４】
そして、前記第一の期間は、前記最新の月周期又は過去に算出された月周期に７日を加えた期間とされ、前記第二の期間は、前記過去に算出された月周期に１４日を加えた期間とされていることが好ましい。
【００２５】
また、本発明の婦人用体調管理装置は、前記特定日情報取得促し手段の作動を禁止する特定日情報取得促し禁止手段を更に備え、この特定日情報取得促し禁止手段は、前記特定日情報取得手段で取得された最新の特定日から起算されると共に前記第一の期間を超える第三の期間に亘って特定日情報の取得が行われていない場合に、前記特定日情報取得促し手段の作動を禁止するものであることが望ましい。
【００２６】
そして、前記第三の期間は、前記第一の期間に１４日を加えた期間とされていることが好ましい。
【００２７】
尚、前記特定日情報取得手段は、使用者たる婦人がその月経開始日を特定日として入力するための日付入力手段を含んでなるものであることが好ましい。
【実施例】
【００２８】
以下、本発明の好適な実施例を、図面を用いて説明する。図１は、本発明による婦人用体調管理装置１の概略外観図である。図２は、この婦人用体調管理装置１に内蔵された電気回路構成の概要を示すブロック図である。図３は、この婦人用体調管理装置１で実行される制御処理（登録モード）のフローチャートである。図４は、この婦人用体調管理装置１で実行される別の制御処理（測定モード）のフローチャートである。図５は、測定モードにおける入力忘れフラグ処理のフローチャートである。図６は、測定モードにおける月経日入力処理のフローチャートである。図７は、測定モードにおける体調期間報知処理のフローチャートである。図８は、この婦人用体調管理装置１に搭載された液晶画面の表示を説明するための図である。図９は、入力促しサインが表示される期間についての説明図である。
【００２９】
この婦人用体調管理装置１（以下、単に「装置１」と略称する。）は、両足間の生体電気インピーダンスを利用して使用者の体脂肪、内臓脂肪、体水分、筋肉、骨、基礎代謝等といった体組成を算出し得るように構成された公知の体組成計を改良したもので、図１に示すように、その本体２が基台２ａとこの基台２ａに載置された載台２ｂとから構成されており、載台２ｂの上面２ｃには、使用者の左右の足裏間に交流電流を流すための通電電極３ａ、３ｂと、このときに左右の足裏間に生じる電圧（電位差）を測定するための測定電極４ａ、４ｂと、この装置１で測定された体組成の表示等に用いる液晶画面５と、使用者が年齢、性別、身長等の個人データを入力するための入力装置６とが配設されている。
【００３０】
ここで、入力装置６は、入力データの選択操作等に用いるアップキー６ａ、ダウンキー６ｂと、入力データの決定操作等に用いるセットキー６ｃと、本発明に基づく女性向けダイエット機能（後述）を有効にするためのダイエットキー６ｄとを含んでいる。また、本体２の側面には、既に登録済みの個人データがある場合にこれを呼出すための４つのフットキー７ａ、７ｂ、７ｃ、７ｄからなるフットキー７と、電源遮断用のフットキー８とが配設されている。尚、セットキー６ｃとフットキー７とは、夫々が電源投入キーを兼ねている。
【００３１】
また、図２に示すように、この装置１の本体２の内部には、通電電極３ａ、３ｂに接続された電流供給回路１１と、測定電極４ａ、４ｂに接続された電圧測定回路１２と、荷重に応じた電圧を出力することにより使用者の体重を測定するための重量センサ１３と、これら電圧測定回路１２及び重量センサ１３からの電圧信号をデジタル変換するＡ／Ｄ変換器１４と、液晶画面５、入力装置６、フットキー７及び電源キー８に接続された入出力回路１５と、入力された個人データ、測定された体重、測定された体組成等を記憶させるための記憶装置１６と、電池を含む電源装置１７と、これら電流供給回路１１、Ａ／Ｄ変換器１４、入出力回路１５、記憶装置１６及び電源装置１７に電気的に接続された制御装置１０とが配設されている。
【００３２】
このような構成において、制御装置１０は、公知の演算素子（ＣＰＵ）を含み、内蔵時計によって常に現在日時を計時、更新しつつ、記憶装置１６に予め記憶された制御プログラムを実行することにより、通電電極３ａ、３ｂに交流電流を供給する制御、この電流値と測定電極４ａ、４ｂで検出される電圧値とに基づいて使用者の生体電気インピーダンスを算出する制御、この生体電気インピーダンスと入力装置６で入力された使用者の個人データと重量センサ１３で測定された使用者の体重とから使用者の体組成を算出する制御、入力された個人データ、測定された体重、算出された体組成を液晶画面５に表示し、及び記憶装置１６に記憶させる制御等、各種の制御処理を実行し、以って使用者の体組成を測定するものである。
【００３３】
更に、本発明の実施例たる装置１は、使用者が女性である場合に、その使用者の月周期で現われる特定日の情報たる月経開始日データを個人データの一つとして取得し、この月経開始日データからこの使用者の月周期データを算出し、更にはこれら取得、算出されたデータからこの使用者の月周期で現われる体調期間を測定して報知する機能を、女性向けダイエット機能として有している。以下、制御装置１０において実行される、体組成の測定と女性向けダイエット機能とを含む制御処理について説明する。
【００３４】
図３のフローチャートは、使用者がこの装置１を初めて使用するときなど、個人データの登録を行う際の制御処理（登録モード）を示す。使用者がセットキー６ｃを押下してこの装置１を起動すると、この登録モードが実行される。
【００３５】
ステップＳ１では、使用者の個人番号が決定される。液晶画面５に、個人番号として１〜４の４つの数字が表示されるので、使用者は、アップキー６ａ、ダウンキー６ｂを用いて任意の１つを自身の個人番号として選択し、セットキー６ｃにより決定する。次いで、ステップＳ２では、選択された個人番号に対して既に個人データの登録がなされているかどうかの確認が行われる。登録済みの場合はステップＳ３に進み、未登録の場合はステップＳ４に進む。ステップＳ３では、液晶画面５に再登録を行うかどうかの選択肢が表示され、使用者が再登録を行う旨の選択肢を選んだ場合はステップＳ４に進むが、再登録を行わない旨の選択肢を選んだ場合はこの登録モードは終了され、電源は自動的に遮断される。
【００３６】
ステップＳ４では、使用者の生年月日が入力される。液晶画面５には、年、月、日を表す数字が表示され、使用者がアップキー６ａ、ダウンキー６ｂを用いて夫々の数字を増減させて自身の生年月日に合わせ、セットキー６ｃにより決定する。制御装置１０では、入力された生年月日と内蔵時計で計時、更新されている現在の年月日との比較により、使用者の年齢が算出される。次いで、ステップＳ５では、使用者の性別が入力される。液晶画面５には男女の選択肢が表示され、使用者がアップキー６ａ、ダウンキー６ｂを用いて自身の性別を選択し、セットキー６ｃにより決定する。次いで、ステップＳ６では、使用者の身長が入力される。液晶画面５には身長を表す数字が表示され、使用者がアップキー６ａ、ダウンキー６ｂを用いてこの数字を増減させて自身の身長に合わせ、セットキー６ｃにより決定する。
【００３７】
ステップＳ７では、ステップＳ５における入力に基づいて、使用者が女性であるかどうかの判定が行われる。女性である場合はステップＳ８に進むが、男性である場合にはステップＳ１０に進む。ステップＳ８では、使用者たる婦人の任意により、本発明に基づく女性向けダイエット機能が有効にされる。液晶画面５には、ダイエット機能の設定を行うか否かの選択肢が表示され、使用者がアップキー６ａ、ダウンキー６ｂを用いて何れかを選択し、セットキー６ｃにより決定する。ダイエット機能の設定を行う旨の選択がなされた場合はステップＳ９に進むが、設定しない旨の選択がなされた場合にはステップＳ１０に進む。
【００３８】
ステップＳ９では、使用者の月経開始日Ｍが入力される。液晶画面５には、前回の月経開始日の入力を促すコメントと、月、日を表す数字とが表示され、使用者がアップキー６ａ、ダウンキー６ｂを用いて夫々の数字を増減させて前回の月経開始日に合わせ、セットキー６ｃにより決定する。次いで、ステップＳ１０では、ステップＳ１で選択された個人番号とステップＳ４からＳ９までで入力された年齢、性別、身長及び月経開始日Ｍといった個人データとが、セットで記憶装置１６に保存される。このとき、使用者が入力した月経開始日Ｍは、最新の月経開始日Ｍ´として保存される。
【００３９】
以上により、登録モードの制御処理は全て終了となり、その後所定時間（例えば、１５秒程度）が経過すると電源が自動的に遮断される。この所定時間中、入力された個人データを液晶画面５に表示して使用者の確認に供しても良い。また、もちろん、電源の遮断は、使用者が電源遮断キー８を押下して電源を遮断しても良い。
【００４０】
図４のフローチャートは、使用者がこの装置１を使用して自身の体組成や体調期間を測定する際の制御処理（測定モード）を示す。使用者が、自身の個人データが登録されたフットキー７（７ａから７ｄの何れか）を押下してこの装置１を起動すると、この測定モードが実行される。
【００４１】
ステップＳ１１では、押下されたフットキー７の個人番号に対応した個人データが登録済みであるか否かの確認が行われる。登録済みである場合はステップＳ１２に進むが、未登録の場合にはこの測定モードは終了される。この終了に際しては、個人データが未登録である旨を液晶画面５に所定時間だけ表示させて、使用者にその登録を促すようにしても良い。
【００４２】
ステップＳ１２では、記憶装置１６に保存されている登録済みの個人データが読込まれる。この個人データには、前記ステップＳ９及びＳ１０で入力及び保存され又は後述するステップＳ１５８で更新された最新の月経開始日Ｍ´、後述するステップＳ１５５で算出された最新の月周期Ｔ、後述するステップＳ１５４で更新された過去に算出された月周期Ｔ´等が含まれている。
【００４３】
ステップＳ１３では、これら個人データと内蔵時計で計時、更新されている現在の日付データとに基づいて、特定日たる月経開始日の入力忘れフラグ処理が行われる。このステップＳ１３の入力忘れフラグ処理について、図５のフローチャートを用いて説明する。
【００４４】
ステップＳ１３１では、前記ステップＳ１２で読込まれた個人データに月周期データが含まれているかどうかが確認される。詳しくは後述するが、過去に一度でも月周期の算出がなされていれば、その算出された月周期が個人データとして保存されているので、個人データには月周期データが含まれており、ステップＳ１３２に進む。一方、未だ月周期の算出がなされておらず、月周期データが存在しない場合は、ステップＳ１３６に進む。
【００４５】
ステップＳ１３２では、個人データとして読込まれた月周期データに基づいて、最新の月周期Ｔが使用者の体調不良等によって特異的に長く算出されたものであるか否かが判定される。この判定は、個人データとして読込まれた最新の月周期Ｔを、同じく個人データとして読込まれた過去に算出された月周期Ｔ´に１４日を加えた日数と比較することによって行われる。即ち、最新の月周期Ｔが過去に算出された月周期Ｔ´に１４日を加えた日数を超えている場合には、最新の月周期Tは特異的に長く算出されたものであると判定されてステップＳ１３３に進む。一方、最新の月周期Ｔが過去に算出された月周期Ｔ´に１４日を加えた日数を超えていない場合には、最新の月周期Ｔは正常なバラツキ範囲内にあると判定されてステップＳ１３４に進む。尚、比較対象とされる過去に算出された月周期Ｔ´は、本実施例においては最新の月周期Ｔの１回前に算出された月周期である。従って、図５のフローチャートでは省略されているが、月周期の算出回数が少なく、過去に算出された月周期Ｔ´が未だ存在しない場合には、このステップＳ１３２と次のステップＳ１３３とはまとめてスキップされるものである。
【００４６】
ステップＳ１３３では、最新の月周期Ｔを、過去に算出された月周期Ｔ´で置換える処理が行われる。即ち、この場合の最新の月周期Ｔは、使用者の体調不良等によって特異的に長く算出されてしまったものである可能性が高いから、斯かる最新の月周期Ｔを用いてこの後のフラグ処理を行ってしまうと、後述する「入力促しサイン」がなかなか表示されなくなってしまう。斯かる事態を回避するため、最新の月周期Ｔを過去に算出された月周期Ｔ´で置換えて、以後のフラグ処理を行うものである。
【００４７】
ステップＳ１３４では、内蔵時計で計時、更新されている現在日時が最新の月経開始日Ｍ´を起算点として何日目に相当するか、即ち、月経開始日Ｍ´から現在までの経過日数が、現在の月周期日Ｍｔとして算出される。
【００４８】
ステップＳ１３５では、使用者が月経開始日の入力を忘れていないかどうかの判別が行われる。この判別は、ステップＳ１３４で算出された現在の月周期日Ｍｔを、最新の月周期Ｔに７日を加えた日数と比較することによって行われる。即ち、最新の月経開始日Ｍ´からの経過日数である現在の月周期日Ｍｔが、最新の月周期Ｔに７日を加えた日数以内である場合は、現在のところ月経開始日の入力忘れはないものと判定されてステップＳ１３６に進む。一方、現在の月周期日Ｍｔが最新の月周期Ｔに７日を加えた日数を超えている場合は、月経開始日の入力が忘れられていると判定されてステップＳ１３７に進む。
【００４９】
ステップＳ１３６では、入力忘れフラグが「００」に設定される。詳しくは後述するが、入力忘れフラグが「００」の場合、「入力促しサイン」の表示は行われず、この女性用ダイエット機能が本来目的とする体調期間の報知が行われるものである。
【００５０】
一方、ステップＳ１３７では、「入力促しサイン」の表示が使用者に煩わしさを感じさせてしまうような時期にまで到達しているかどうかの判別が行われる。この判別は、ステップＳ１３４で算出された現在の月周期日Ｍｔを、前記ステップＳ１３５で比較対象とされた最新の月周期Ｔに７日を加えた日数に更に１４日を加えた日数（換言すれば、最新の月周期Ｔに２１日を加えた日数）と比較することによって行われる。即ち、現在の月周期日Ｍｔが最新の月周期Ｔに２１日を加えた日数以内である場合は、現在のところ煩わしさを感じさせてしまう時期にまでは至っていないと判定されてステップＳ１３８に進む。一方、現在の月周期日Ｍｔが最新の月周期Ｔに２１日を加えた日数を超えている場合は、「入力促しサイン」の更なる表示は使用者に煩わしさを感じさせてしまう可能性があると判定されてステップＳ１３９に進む。
【００５１】
ステップＳ１３８では、入力忘れフラグが「０１」に設定される。詳しくは後述するが、入力忘れフラグが「０１」の場合、体調期間の報知が行われなくなると共に、使用者による月経開始日の入力を喚起すべく「入力促しサイン」の表示が行われることになる。
【００５２】
一方、ステップＳ１３９では、入力忘れフラグが「１０」に設定される。詳しくは後述するが、入力忘れフラグが「１０」の場合、体調期間の報知が行われなくなると共に、「入力促しサイン」の表示も行われなくなる。
【００５３】
ステップＳ１３６、Ｓ１３８、Ｓ１３９の何れかにおいて入力忘れフラグが設定された後は、測定モードのメイン処理に戻る。
【００５４】
再び図４のフローチャートを参照して、ステップＳ１４では、ダイエットキー６ｄが押下されたか否かが確認される。ダイエットキー６ｄの押下が確認された場合はステップＳ１５に進んで月経開始日の入力処理が実行され、ダイエットキー６ｄの押下が確認されない場合にはステップＳ１６に進んで体組成の測定処理が実行される。即ち、この装置１は、フットキー７の押下と同時又はその直後にダイエットキー６ｄが押下されると月経開始日の入力モードに移行するように構成されているものである。
【００５５】
ステップＳ１５の月経開始日入力処理について、図６のフローチャートを用いて説明する。図６のフローチャートにおいて、先ず、ステップＳ１５１では、女性向けダイエット機能が有効に設定されているかどうかが確認される。設定されている場合はステップＳ１５２に進むが、設定されていない場合にはこの体調期間測定処理を終了して測定モードのメインルーチン（図４）に戻り、そのまま測定モードも終了することになる。この終了に際しては、女性向けダイエット機能が設定されていない旨を液晶画面５に所定時間（例えば、１５秒程度）だけ表示させて、使用者にその設定を促すようにしても良い。
【００５６】
ステップＳ１５２では、使用者の月経開始日Ｍが入力される。液晶画面５には、最新の月経開始日の入力を促すコメントと、月、日を表す数字とが表示され、使用者がアップキー６ａ、ダウンキー６ｂを用いて夫々の数字を増減させて最新の月経開始日に合わせ、セットキー６ｃにより決定する。次いで、ステップＳ１５３では、ステップＳ１５２で入力された月経開始日ＭとメインルーチンのステップＳ１２で読込まれた最新の月経開始日Ｍ´とが比較され、両者が異なる場合はステップＳ１５４に進み、両者が一致する場合にはこの月経開始日入力処理を終了して測定モードのメインルーチン（図４）に戻り、そのまま測定モードも終了することになる。
【００５７】
ステップＳ１５４では、前記ステップＳ１２で読込まれた最新の月周期Ｔで、同じくステップＳ１２で読込まれた過去に算出された月周期Ｔ´を置換える処理が行われる。即ち、過去に算出された月周期Ｔ´の更新処理が行われる。
【００５８】
ステップＳ１５５では、あらためて最新の月周期Ｔが算出される。前記ステップＳ１２で読込まれた最新の月経開始日Ｍ´から前記ステップＳ１５２で入力された月経開始日Ｍまでの期間と、前記ステップＳ１５４で更新された過去の月経周期Ｔ´との平均が、最新の月周期Ｔとして算出される。即ち、この装置１において、月周期は、月経開始日から次の月経開始日までの実際の日数を平均したものである。尚、この装置１を初めて使用した場合等、過去に算出された月周期Ｔ´が未だ存在しない場合には、最新の月経日Ｍ´から今回入力された月経日Ｍまでの期間が、月周期Ｔとして算出される。
【００５９】
ステップＳ１５６では、前記ステップＳ１５２で月経開始日が入力されたことを受け、入力忘れフラグが「００」に設定される。
【００６０】
ステップＳ１５７では、使用者の月周期で現われる体調期間の算出が行われる。この装置1において、月経開始日から始まる月周期中の最初の４日間は「月経期」として予め設定されている。従って、ステップＳ１５２で入力された月経開始日Ｍを起算点とする月周期Ｔのうち、月経開始日Ｍを含む最初の４日間が、月経期として算出される。また、この装置１において、月周期の最終日を含む後半１４日間とこれに続く７日間は「リラックスおすすめ期」として予め設定されている。従って、月経開始日Ｍを起算点とする月周期Ｔのうち、その最終日を含む後半１４日間とこれに続く７日間とが、リラックスおすすめ期として算出される。更に、この装置１において、月経期の終了後からリラックス期の開始前までの期間は、「ダイエットチャンス期」として設定されている。従って、月経開始日Ｍを起算点とする月周期Ｔから当初の月経期４日間と後半のリラックスおすすめ期１４日間を除いた残余の期間が、ダイエットチャンス期として算出される。
【００６１】
ステップＳ１５８では、ステップＳ１５２で入力された月経開始日Ｍで、前記ステップＳ１２で読込まれた最新の月経開始日Ｍ´を置換える処理が行われる。即ち、最新の月経開始日Ｍ´の更新処理が行われる。
【００６２】
ステップＳ１５９では、このサブルーチンで入力、算出、更新された各データが、個人番号に対応した個人データとして記憶装置１６に保存される。以上によりこの月経開始日入力処理は終了して測定モードのメインルーチン（図４）に戻り、そのまま測定モードも終了されることになる。尚、この月経開始日入力処理は、ステップＳ１５２以外は全て自動的に実行されるため、使用者にとっては月経開始日Ｍを入力するだけの月経入力モードとして認識されるものである。
【００６３】
再び図４のフローチャートに戻り、ステップＳ１４からステップＳ１６に進んだ場合の制御処理について説明を続ける。
【００６４】
ステップＳ１６では、使用者の体重と両足間の生体電気インピーダンスとが測定される。即ち、使用者が、左足裏を通電電極３ａ及び測定電極４ａに、右足裏を通電電極３ａ及び測定電極４ａに、夫々接触させて載台２ｂの上面２ｃに立つと、重量センサ１３によって使用者の体重が測定されると共に、通電電極３ａ、３ｂを介して左右の足裏間に交流電流が供給され、且つ、測定電極４ａ、４ｂを介して左右の足裏間の電圧（電位差）が測定されて、これら電流値と電圧値とから両足間の生体電気インピーダンスが測定される。次いで、ステップＳ１７では、使用者の個人データとして登録済みの年齢、性別及び身長と、ステップＳ１６で測定された体重及び生体電気インピーダンスとに基づいて、使用者の体組成データの一つである体脂肪率が算出される。尚、算出される体組成データは、体脂肪率に限らず、これに代え又は加えて、体脂肪量、内臓脂肪面積、体水分量、体水分率、筋肉量、筋肉率、骨量、基礎代謝量等といったものであっても良い。次いで、ステップＳ１８では、ステップＳ１６、Ｓ１７で測定、算出された体重及び体脂肪率が、使用者の個人番号に対応して記憶装置１６に保存される。ステップＳ１６からＳ１８までの制御処理は、従来公知の体組成計と変わるところがないので、これ以上の説明は割愛する。
【００６５】
ステップＳ１９では、前記ステップＳ１３６、Ｓ１３８、Ｓ１３９及びＳ１５６で設定された入力忘れフラグの状態が確認される。このとき、入力忘れフラグが「００」に設定されている場合には、月経開始日の入力は忘れられることなく正しく行われていると判定され、及び入力忘れフラグが「１０」に設定されている場合には、月経開始日の入力は忘れられた状態にあるものの「入力促しサイン」の更なる表示は使用者に煩わしさを感じさせてしまう可能性があると判定されて、ステップＳ２０に進む。一方、入力忘れフラグが「０１」に設定されている場合には、月経開始日の入力が忘れられた状態にあり、且つ、その入力を促すべき状態にあると判定されて、ステップＳ２１に進む。
【００６６】
ステップＳ２０では、ステップＳ１６、Ｓ１７で測定、算出された体重及び体脂肪率が、図８（ａ）及び（ｃ）の左側に示す如く、液晶画面５に表示される。尚、図８の表示例では体重と体脂肪率の２種類のデータが同一画面上に表示されているが、夫々のデータを所定時間（例えば、１５秒程度）ずつ順次交互に切替えて、複数回（例えば、３回）ずつ表示するようにしても良い。体脂肪率以外の体組成データが算出されている場合も、同様である。斯かる表示の方法も、従来公知の体組成計と変わるところはない。
【００６７】
一方、ステップＳ２１では、ステップＳ２０と同様の体重及び体脂肪率の表示に加え、「入力促しサイン」の表示処理が行われる。即ち、入力忘れフラグが「０１」に設定されている場合には、図８（ｂ）に示す如く、体重及び体脂肪率が表示された後、現在の月周期日と入力促しサインとしての「月経日入力してますか？」なるコメントとを表示する画面に自動的に切替わり、これらの各画面が所定時間（例えば、１５秒程度）ずつ順次交互に複数回（例えば、３回）表示されるものである。
【００６８】
ステップＳ２２では、ダイエットキー６ｄが押下されたか否かが再び確認される。即ち、この装置1では、体組成の測定結果が液晶画面５に表示されている状態で使用者がダイエットキー６ｄを押下することによって、ステップＳ１５で算出された体調期間の報知が行われるように構成されている。従って、ステップＳ２２でダイエットキー６ｄの押下が確認された場合は、ステップＳ２３に進んで体調期間報知処理が実行される。一方、ダイエットキー６ｄの押下が確認されない場合には、測定モードの制御処理は全て終了となり、体組成表示のための前記所定時間が経過すると、電源が自動的に遮断されるものである。
【００６９】
ステップＳ２３の体調期間報知処理について、図７のフローチャートを用いて説明する。図７のフローチャートにおいて、先ず、ステップＳ２３１では、女性向けダイエット機能が有効に設定されているかどうかが確認される。設定されている場合はステップＳ２３２に進むが、設定されていない場合にはこの体調期間報知処理を終了して測定モードのメインルーチン（図４）に戻り、そのまま測定モードも終了することになる。この終了に際しては、女性向けダイエット機能が設定されていない旨を液晶画面５に所定時間だけ表示させて、使用者にその設定を促すようにしても良い。
【００７０】
ステップＳ２３２では、再び入力忘れフラグの状態が確認される。このとき、入力忘れフラグが「００」又は「１０」の場合はステップＳ２３３に進むが、「０１」の場合は前記ステップＳ１５の月経開始日入力処理（月経日入力モード）に進む。即ち、月経開始日の入力が正しく行われておらず、入力促しサインが表示されるような時期においては、ダイエットキー６ｄを押下したとしても体調期間の報知は行われず、月経開始日を入力するためのステップＳ１５２に移行するものである。
【００７１】
ステップＳ２３３では、再び入力忘れフラグの状態が確認される。このとき、入力忘れフラグが「００」の場合はステップＳ２３４に進むが、「１０」の場合はステップＳ２３６に進む。
【００７２】
ステップＳ２３４では、前記ステップＳ１３４で算出された現在の月周期日Ｍｔが、前記ステップＳ１５７で算出された各体調期間（月経期、ダイエットチャンス期、リラックスおすすめ期）の何れに該当するか、即ち、使用者の現在の体調が属する体調期間が算出される。次いで、ステップＳ２３５では、これら現在の月周期日Ｍｔと現在の体調期間とが、図８（ａ）の右側に示す如く、液晶画面５に表示される。このステップＳ２３５における月周期日Ｍｔ及び体調期間の表示は所定時間（例えば、１５秒程度）継続され、この所定時間が経過すると体調期間報知処理は終了して測定モードのメインルーチン（図４）に戻り、そのまま測定モードも終了することになる。尚、ステップＳ２３５の実行中に、例えばダイエットキー６ｄが押下された場合には、前記ステップＳ２０の体重及び体脂肪率の表示を再び実行するようにしても良い。
【００７３】
一方、ステップＳ２３６では、現在の月周期日Ｍｔが、図８（ｃ）の右側に示す如く、液晶画面５に表示される。即ち、このステップＳ２３６に進んできた場合には、月経開始日の入力が正しく行われておらず、しかしながら入力促しサインの表示は使用者に煩わしさを感じさせてしまう可能性が大きい状態にあるので、体調期間の報知は行われず、且つ、入力促しサインの表示も禁止するものである。このステップＳ２３６における月周期日Ｍｔの表示は所定時間（例えば、１５秒程度）継続され、この所定時間が経過すると体調期間報知処理は終了して測定モードのメインルーチン（図４）に戻り、そのまま測定モードも終了することになる。尚、ステップＳ２３６の実行中に、例えばダイエットキー６ｄが押下された場合には、前記ステップＳ２０の体重及び体脂肪率の表示を再び実行するようにしても良い。
【００７４】
図９は、以上の制御処理に基づいて入力促しサインが表示される期間についての説明図であって、前記ステップＳ１５５で算出され、且つ、前記ステップＳ１３２で判定された最新の月周期Ｔが２８日間であった場合を表している。この場合、前記ステップＳ１５２で入力された月経開始日Ｍを起算点として、月周期２８日間に７日を加えた期間Ａ（即ち、月周期日Ｍｔが３５日目まで）においては、前記ステップＳ１３において入力忘れフラグが「００」に設定され、液晶画面５には図８（ａ）の如き表示がなされるものである。この期間Ａにおいて月経開始日の入力がなされなかった場合、期間Ａの終了翌日から１４日間の期間Ｂ（即ち、月周期日Ｍｔが４９日目まで）においては、前記ステップＳ１３において入力忘れフラグが「０１」に設定され、液晶画面５には図８（ｂ）の如き表示がなされるものである。この期間Ｂにおいても月経開始日の入力がなされなかった場合、期間Ｂの終了翌日以降の期間Ｃ（即ち、月経周期日Ｍｔが５０日目以降）においては、前記ステップＳ１３において入力忘れフラグが「１０」に設定され、液晶画面５には図８（ｃ）の如き表示がなされるものである。
【００７５】
上述のように、この装置１においては、主として入力装置６と制御装置１０とが使用者たる婦人の月周期で現われる特定日の情報としての月経開始日Ｍを取得する特定日情報取得手段を構成し、主として制御装置１０がこの婦人の月周期Ｔを算出する月周期算出手段を構成し、主として液晶画面５と制御装置１０とが特定日情報の取得を使用者に促す特定日情報促し手段を構成している。そして、この特定日情報促し手段は、月周期Ｔを超える第一の期間（月周期Ｔに７日を加えた期間）に亘って特定日情報の取得が行われていない場合に、液晶画面５への入力促しサインの表示を以ってその取得を使用者に促すものである。
【００７６】
ここで、第一の期間は、月周期算出手段で算出された最新の月周期Ｔが、過去に算出された月周期Ｔ´を超える第二の期間（月周期Ｔ´に１４日を加えた期間）以下である場合には、この最新の月周期Ｔを超える期間（月周期Ｔに７日を加えた期間）とされている。一方、最新の月周期Ｔが、この第二の期間（月周期Ｔ´に１４日を加えた期間）を超えている場合には、第一の期間は、この過去に算出された月周期Ｔ´を超える期間（月周期Ｔ´に７日を加えた期間）とされている。
【００７７】
また、この装置１においては、主として制御装置１０が特定日情報取得促し手段の作動を禁止する禁止手段を構成している。そして、この特定日情報取得促し禁止手段は、第一の期間を超える第三の期間（第一の期間に１４日を加えた期間）に亘って特定日情報の取得が行われていない場合に、液晶画面５への入力促しサインの表示を禁止するものである。
【００７８】
以上、本発明による婦人用体調管理装置及びその実施の形態について詳述してきたが、本発明は、実施例の構成に限定されることなく、特許請求の範囲に記載した構成を備える限りにおいて、実施例と共に説明した各種の変形はもちろん、その他様々な変形が可能である。例えば、前述した第一、第二、第三の各期間は、夫々適宜に設定することが可能であるし、第二及び第三の期間の設定は必須ではない。また、特定日情報取得促し手段は、液晶画面に限らず、発光ダイオードやブザー等で構成しても良い。婦人の月周期で現われる特定日の情報は、月経開始日に限らず、排卵日でも良く、その取得は入力装置によるばかりでなく、生体電気インピーダンス等に基づいて算出する構成であっても良い。また、本発明は、体組成の測定機能を省いた簡易型の婦人用体調管理装置として実施することも可能である。或いは、婦人の基礎体温を測るための体温計等と組み合わせても良い。
【図面の簡単な説明】
【００７９】
【図１】本発明による婦人用体調管理装置１の概略外観図。
【図２】婦人用体調管理装置１に内蔵された電気回路構成の概要を示すブロック図。
【図３】婦人用体調管理装置１で実行される制御処理（登録モード）のフローチャート。
【図４】婦人用体調管理装置１で実行される別の制御処理（測定モード）のフローチャート。
【図５】測定モードにおける入力忘れフラグ処理のフローチャート。
【図６】測定モードにおける月経日入力処理のフローチャート。
【図７】測定モードにおける体調期間報知処理のフローチャート。
【図８】婦人用体調管理装置１に搭載された液晶画面の表示を説明するための図。
【図９】入力促しサインが表示される期間についての説明図。
【符号の説明】
【００８０】
１  婦人用体調管理装置
２  本体
２ａ  基台
２ｂ  載台
２ｃ  上面
３ａ、３ｂ  通電電極
４ａ、４ｂ  測定電極
５  液晶画面
６  入力装置
６ａ  アップキー
６ｂ  ダウンキー
６ｃ  決定キー
６ｄ  ダイエットキー
７（７ａ、７ｂ、７ｃ、７ｄ）  フットキー
８  電源遮断用フットキー
１０  制御装置
１１  電流供給回路
１２  電圧測定回路
１３  重量センサ
１４  Ａ／Ｄ変換器
１５  入出力回路
１６  記憶装置
１７  電源装置
【図１】
2006043247.tif 000003
【図２】
2006043247.tif 000004
【図３】
2006043247.tif 000005
【図４】
2006043247.tif 000006
【図５】
2006043247.tif 000007
【図６】
2006043247.tif 000008
【図７】
2006043247.tif 000009
【図８】
2006043247.tif 000010
【図９】
2006043247.tif 000011